(57)【要約】  服装に用いられ、ファスナーエレメントを結合、又は分離するためのスライダーベース（１）を含むスライドファスナーであって、スライダーベース（１）には、引手（４）が通るためのビアホールが設置され、引手（４）はビアホールを通ってスライダーベース（１）を軸として時計回り、又は反時計回りに回転可能であり、引手（４）には、引手が左右に揺れることを避けるためのストッパ部（３）が設置される。上記スライドファスナーは、ハンドが上向き、又は下向きに力を入れてスライダーを引く場合に、左右両側の強固を確保し、ファスナーエレメントの結合、分離する過程の安定を実現し、着衣の利便性を確保することができる。
2019524414.tif 000002
【特許請求の範囲】
【請求項１】
服装に用いられ、ファスナーエレメントを結合、又は分離するためのスライダーベースを含むスライドファスナーであって、前記スライダーベースには、引手が通るためのビアホールが設置され、前記引手は前記ビアホールを通って前記スライダーベースを軸として時計回り、又は反時計回りに回転可能であり、前記引手には、前記引手が左右に揺れることを避けるためのストッパ部が設置されることを特徴とするスライドファスナー。
【請求項２】
前記ビアホールは、前記スライダーベースに位置する弾性シートに設置されることを特徴とする請求項１に記載のスライドファスナー。
【請求項３】
前記弾性シートには、前記ストッパ部が摺動摩擦するための摩擦面が設置されることを特徴とする請求項２に記載のスライドファスナー。
【請求項４】
前記引手には、前記ビアホールと互いに嵌合されるためのエンドホールが設置され、それに、前記ビアホールは前記エンドホールと垂直に設置されることを特徴とする請求項１に記載のスライドファスナー。
【請求項５】
２つの前記ストッパ部は、前記ビアホールの両側に対称に設置されることを特徴とする請求項１〜４のうち何れか一項に記載のスライドファスナー。
【請求項６】
前記ストッパ部と前記引手とは一体成型に設置されることを特徴とする請求項５に記載のスライドファスナー。
【請求項７】
前記引手は、前記ビアホールから離れる端に手持ち部が設置されることを特徴とする請求項５に記載のスライドファスナー。
【請求項８】
服装であって、請求項１〜７の何れか一項に記載のようなスライドファスナーを含むことを特徴とする服装。
【請求項９】
前記服装は具体的に運動着であることを特徴とする請求項８に記載の服装。
【発明の詳細な説明】
【技術分野】
【０００１】
本出願は、２０１６年１１月２３日に中国特許庁に提出された、出願番号が２０１６２１２６９５２４．１であって実用新案名称が「服装およびそのスライドファスナー」である中国特許出願の優先権を主張するものであり、その全体が引用により本出願に組み込まれる。
【０００２】
本発明は、服装分野に関し、特に服装に用いられるスライドファスナーに関する。本発明はさらに、当該スライドファスナーを有する服装に関する。
【背景技術】
【０００３】
人類社会の経済および科学技術の発展に伴い、スライドファスナーは、最初の金属材料から非金属材料へ、単一品種単一機能から多品種多仕様の総合機能へ発展し、簡単構造から今日の精巧美観、色とりどりになることは、長い変遷過程を経過した。その性能、構造、材料が日進月歩であり、用途が広くて宇宙、航空、軍事、医療、民用などの各分野に適用され、小さなスライドファスナーは、人々の生活における役割がますます大きくなり、その重要性および生命力がますます顕著になる。
【発明の概要】
【発明が解決しようとする課題】
【０００４】
本発明の目的は、引手が引っ張り過程にて左右に揺れることを防止可能なスライドファスナーを提供することである。本発明のもう１つの目的は、上記スライドファスナーを含む服装を提供することである。
【課題を解決するための手段】
【０００５】
上記目的を実現するために、本発明は、服装に用いられ、ファスナーエレメントを結合、又は分離するためのスライダーベースを含むスライドファスナーであって、前記スライダーベースには、引手が通るためのビアホールが設置され、前記引手は前記ビアホールを通って前記スライダーベースを軸として時計回り、又は反時計回りに回転可能であり、前記引手には、前記引手が左右に揺れることを避けるためのストッパ部が設置される、スライドファスナーを提供する。
【０００６】
上記背景技術に対して、本発明が提供するスライドファスナーは、引手に設置されるストッパ部により、引手がスライダーベースに対して左右方向に揺れることを避ける。具体的には、手で引手を持ってファスナーエレメントの結合および分離を必要とする場合、ハンドが上向き、又は下向きに力を入れることを便利にさせるために、スライダーは前記スライダーベースに対して回転可能な場合が多い。本発明は、引手が左右方向に揺れることを避けるように、ストッパ部がさらに設置される。スライダーベースに対するスライダーの回転方向は第１方向であり、引手の揺れる方向は第２方向であり、第２方向が第１方向と垂直することは明らかである。このようにすれば、ハンドが上向き、又は下向きに力を入れてスライダーを引く場合に、左右両側の強固を確保し、ファスナーエレメントの結合、又は分離する過程の安定を実現し、着衣の利便性を確保することができる。
【０００７】
好ましくは、前記ビアホールは、前記スライダーベースに位置する弾性シートに設置される。
【０００８】
好ましくは、前記弾性シートには、前記ストッパ部が摺動摩擦するための摩擦面が設置される。
【０００９】
好ましくは、前記引手には、前記ビアホールと互いに嵌合されるためのエンドホールが設置され、それに、前記ビアホールは前記エンドホールと垂直に設置される。
【００１０】
好ましくは、２つの前記ストッパ部は、前記ビアホールの両側に対称に設置される。
【００１１】
好ましくは、前記ストッパ部と前記引手とは一体成型に設置される。
【００１２】
好ましくは、前記引手は、前記ビアホールから離れる端に手持ち部が設置される。
【００１３】
本発明は、上記何れか一項に記載のスライドファスナーを含む服装をさらに提供する。
【００１４】
好ましくは、前記服装は具体的に運動着である。
【００１５】
本発明の実施例又は従来技術における技術案をより明瞭に説明するために、以下、実施例又は従来技術の記述について使用する必要がある図を簡単に説明し、明らかなように、以下の記述における図は本発明の実施例のみであり、当業者にとって、創造的な労働を費やすことがない場合、提供される図に応じて他の図を得ることが更にできる。
【図面の簡単な説明】
【００１６】
【図１】本発明の実施例が提供するスライドファスナーの使用状態における模式図である。
【図２】図１における引手の模式図である。
【図３】図１の別の角度の模式図である。
【発明を実施するための形態】
【００１７】
以下、本発明の実施例における図を結合して本発明の実施例における技術案を明瞭で完全で記述し、明らかなように、記述される実施例は本発明の一部の実施例に過ぎず、全ての実施例ではない。当業者が本発明における実施例を基礎とし、創造的な労働を費やすことがない場合に得られる全ての他の実施例は、いずれも本発明の保護範囲に属する。
【００１８】
当業者が本発明の方案をよりよく理解するために、以下、図および具体的な実施形態を結合して本発明をさらに詳しく説明する。
【００１９】
図１〜図３を参照し、図１は本発明の実施例が提供するスライドファスナーの使用状態における模式図であり、図２は図１における引手の模式図であり、図３は図１の別の角度の模式図である。
【００２０】
本発明は、服装に用いられるスライドファスナーを提供する。周知のように、スライドファスナーは一般的に、２つのベルトにそれぞれ１列の金属歯又はプラスチック歯を有してなる締め具により、開口の縁（例えば、衣服又は袋の口）を接続し、２列の歯をインターロック位置に引き込んで開口を閉じることができる摺動具を有する。上記金属歯又はプラスチック歯はファスナーエレメントであり、スライダーベースがファスナーエレメントに対して上向き又は下向きに引かれることにより、ファスナーエレメントの結合又は分離を実現する。引手とスライダーベースとは接続し、これで人々が手で把持して上下に引っ張り、ファスナーエレメントの結合、分離を実現する。
【００２１】
図面１、２に示すように、スライダーベース１は、引手４が通るビアホールが設置され、これにより、引手４がスライダーベース１に対して回転可能なことを実現し、本発明は当該回転を第１方向と定義する。
【００２２】
人々が着衣する場合、一般的に、引手４を把持して引手４を体の長手方向に沿って上向きに引くことで、ファスナーエレメントの結合を実現する。引手４は第１端および第２端を含み、第１端がスライダーベース１とビアホール係合して回転を実現し、第２端がビアホールの位置から離れる。
【００２３】
引手４を体の長手方向に沿って上向きに引く前に、重力の作用では、引手４の第２端は下向きにしてスライダーベース１の下方に位置する場合がある。手で第２端を把持して引手４をスライダーベース１に対して回転させ、第２端がスライダーベース１の上方に位置することを確保する必要があり、これにより、引手４を上向きに引っ張ることを実現し、ファスナーエレメントの結合を実現する。
【００２４】
上記過程には、第２端の、スライダーベース１の下方からスライダーベース１の上方までに回転する回転方向は第１方向である。
【００２５】
第２端の回転過程には、第２端とスライダーベース１のビアホールとの間には一定の隙間を有する場合があるから、第１方向に沿って回転する過程には、引手４がスライダーベース１に対して左右に揺れることになり、左右に揺れる方向は本発明が定義する第２方向である。明らかなように、第２方向は第１方向と垂直である。
【００２６】
本発明は引手４にストッパ部を設置し、ストッパ部とスライダーベース１のビアホールとの間にはヒンジに類似する形式を形成することで、引手４が第２方向に揺れることを避け、ハンドが上向き、又は下向きに力を入れてスライダーを引く場合に、左右両側の強固を確保し、ファスナーエレメントの結合、又は分離する過程の安定を実現し、着衣の利便性を確保する。
【００２７】
ストッパ部は、図面１、２に示す凸部３のように設置されてもよい。図面１に示すように、スライダーベース１のビアホールは弾性シート２に設置され、かつ弾性シート２はスライダーベース１の上方に位置する。弾性シート２とスライダーベース１とは、一体成型の方式で製造可能であり、それに、スライドファスナーの耐用年数を確保するように、両者は金属部件であることが好ましい。
【００２８】
図面１のように、弾性シート２は鉛直部が設置され、鉛直部は図面１に示す水平方向に一定の厚さを有し、ビアホールは鉛直部の水平方向を貫通し、ビアホールの厚み方向の両側に凸部３が設置され、２つの凸部３の内側壁は鉛直部の厚み方向の両側と摺動摩擦する。つまり、引手４が第１方向に沿って回転する過程には、２つの凸部３は常に鉛直部の厚み方向の両側と接触し、これにより、左右両側の強固を確保し、ファスナーエレメントの結合、分離する過程の安定を実現し、着衣の利便性を確保する。
【００２９】
図面２に示すように、引手４の第１端にはエンドホール５を設置してもよく、図面３に示すように、エンドホール５はビアホールと互いに嵌合され、かつビアホールはエンドホール５と垂直に設置される。見られるように、互いに垂直であるエンドホール５とビアホールとは、上記技術的効果を実現することができる。
【００３０】
図面３に示すように、引手４が弾性シート２に対して第１方向に向けて回転することを実現するように、エンドホール５の幅はビアホールの厚さ以上であるべきである。エンドホール５の幅がビアホールの厚さと等しいである場合、引手４が弾性シート２に対して第２方向に向けて回転する角度をさらに低減することができ、凸部３との係合によって、揺れる現象をさらに避けることができる。
【００３１】
２つの凸部３は、ビアホールの両側に対称に設置されてもよい。つまり、２つのストッパ部５はエンドホール５の両側に対称に設置される。凸部３と引手４とは一体成型に設置されてもよい。
【００３２】
引手４の第２端には手持ち部が設置されてもよく、つまり、ビアホールから離れる端に、ハンドが把持するための手持ち部が設置される。引手４を上向き、下向きに引っ張る目的を便利に実現する。手持ち部は、引手４とハンドとの摩擦力を大きくし、さらに引手４の把持成功率を向上するように、蛇腹形の凹凸部として設置されてもよい。
【００３３】
本発明が提供する、スライドファスナーを有する服装は、上記の具体的な実施例が記述するスライドファスナーを含む。服装の他の部分について、従来技術を参照可能であり、本文にはさらに展開しない。上記服装は運動着、アウトドアウェア又は他のタイプの服装であってもよい。
【００３４】
説明する必要があることは、本明細書には、第１、第２のような関係術語が、１つの実体と他のいくつかの実体とを区分するためだけであり、これらの実体の間にはいかなるこのような実際の関係又は順序があることを必ずしも要求又は示唆しないことである。
【００３５】
以上、本発明が提供する服装およびそのスライドファスナーを詳しく説明した。本文は、具体的な例を適用して本発明の原理および実施形態を論述し、以上の実施例の説明は、本発明の方法およびその核心思想への理解をヘルプするためだけである。指摘すべきのように、当業者にとって、本発明の原理を逸脱しない場合、さらに、本発明に対して若干の改善および修飾を行ってもよく、これらの改善および修飾も本発明の請求項の保護範囲内に入る。
【図１】
2019524414.tif 000003
【図２】
2019524414.tif 000004
【図３】
2019524414.tif 000005
【手続補正書】
【提出日】平成31年2月26日(2019.2.26)
【手続補正１】
【補正対象書類名】明細書
【補正対象項目名】００２５
【補正方法】変更
【補正の内容】
【００２５】
第２端の回転過程には、第１端とスライダーベース１のビアホールとの間には一定の隙間を有する場合があるから、第１方向に沿って回転する過程には、引手４がスライダーベース１に対して左右に揺れることになり、左右に揺れる方向は本発明が定義する第２方向である。明らかなように、第２方向は第１方向と垂直である。
【手続補正２】
【補正対象書類名】明細書
【補正対象項目名】００３１
【補正方法】変更
【補正の内容】
【００３１】
２つの凸部３は、ビアホールの両側に対称に設置されてもよい。つまり、２つのストッパ部はエンドホール５の両側に対称に設置される。凸部３と引手４とは一体成型に設置されてもよい。
【国際調査報告】
2019524414.tif 000006
2019524414.tif 000007
2019524414.tif 000008
2019524414.tif 000009